(57)【特許請求の範囲】
【請求項１】
物体側から順に、
メニスカス形状を有する負の第１レンズと、
両凸形状を有する第２レンズと、
絞りと、
像側に凸面を向けたメニスカス形状を有する正の第３レンズと、
物体側に凹面を向けたメニスカス形状を有する負の第４レンズと
からなり、
前記第１レンズは、物体側に凹面を向けた負のメニスカスレンズであり、
さらに、以下の条件式（６）〜（１０）を全て満足するように構成されている
ことを特徴とする画像読取用レンズ。
−１．５６＜ｆ１／ｆ＜−１．３４ ……（６）
０．３９＜ｆ２／ｆ＜０．４５ ……（７）
０．４７＜ｆ３／ｆ＜２．３７ ……（８）
０．０４＜Ｄ５／ｆ＜０．１０ ……（９）
０．０５＜Ｄ７／ｆ＜０．１５ ……（１０）
但し、
ｆ：全体の焦点距離
ｆ１：第１レンズの焦点距離
ｆ２：第２レンズの焦点距離
ｆ３：第３レンズの焦点距離
Ｄ５：絞りから第３レンズの物体側の面までの光軸上の間隔
Ｄ７：第３レンズの像側の面から第４レンズの物体側の面までの光軸上の間隔
【請求項２】
さらに、以下の条件式（１）〜（５）を全て満足するように構成されている
ことを特徴とする請求項１に記載の画像読取用レンズ。
−１．５６＜ｆ１／ｆ＜−０．３０ ……（１）
０．２６＜ｆ２／ｆ＜０．４５ ……（２）
０．２０＜ｆ３／ｆ＜２．３７ ……（３）
０．０４＜Ｄ５／ｆ＜０．１０ ……（４）
０．０５＜Ｄ７／ｆ＜０．１５ ……（５）
但し、
ｆ：全体の焦点距離
ｆ１：第１レンズの焦点距離
ｆ２：第２レンズの焦点距離
ｆ３：第３レンズの焦点距離
Ｄ５：絞りから第３レンズの物体側の面までの光軸上の間隔
Ｄ７：第３レンズの像側の面から第４レンズの物体側の面までの光軸上の間隔
【請求項３】
請求項１または請求項２に記載の画像読取用レンズを備えたことを特徴とする画像読取装置。
【発明の詳細な説明】
【技術分野】
【０００１】
本発明は、例えばイメージスキャナなどの画像読取装置およびそれに搭載される画像読取用レンズに関する。
【背景技術】
【０００２】
従来より、カラー原稿の画像を、光学系を介して例えばＣＣＤ（電荷結合素子）のような固体撮像素子上に結像させ、その画像情報を読み取るようにした画像読取装置が使用されている。近年、このような画像読取装置、特にイメージスキャナ等においては高解像化に加え、小型化および低価格化に対する要求が強まってきている。
【０００３】
このような背景から、画像読取装置に搭載される撮像光学系としては、例えば４枚のレンズからなるコンパクトな構成の画像読取用レンズが開発されている（例えば、特許文献１および２を参照）。特許文献１および２に記載の画像読取用レンズは、いずれも正レンズを含む前群と、負レンズを含む後群とを備えたテレフォトタイプと呼ばれるものである。
【特許文献１】特開平１１−１９０８２０号公報
【特許文献２】特開２００２−２９６４９９号公報
【発明の開示】
【発明が解決しようとする課題】
【０００４】
しかしながら、上記の特許文献１および２に開示された画像読取用レンズは、およそ３０°以下の画角であれば良好な光学性能を発揮するものの、それを超えるような画角では像面湾曲が増大してしまう。したがって、３０°以下の画角範囲に原稿の全てが収まるように原稿表面と画像読取用レンズとの間隔を確保する必要があることから、事実上、原稿のサイズによって全体構成の小型化が制限されていた。したがって、少ないレンズ枚数からなり小型でありながら、より大きな原稿を読み取ることの可能な画像読取用レンズが望まれる。
【０００５】
本発明はかかる問題に鑑みてなされたもので、その目的は、コンパクトな構成でありながら、より広い画角において良好な光学性能を発揮する画像読取用レンズおよびそのような画像読取用レンズを備えた画像読取装置を提供することにある。
【課題を解決するための手段】
【０００６】
本発明の画像読取用レンズは、物体側から順に、メニスカス形状を有する負の第１レンズと、両凸形状を有する第２レンズと、絞りと、像側に凸面を向けたメニスカス形状を有する正の第３レンズと、物体側に凹面を向けたメニスカス形状を有する負の第４レンズとを備えるようにしたものである。
【０００７】
本発明の画像読取用レンズでは、４枚という少ないレンズ枚数で構成され、最も物体側に位置する第１レンズと、最も像側に位置する第４レンズとがいずれも負のパワーを有することから、コンパクト化が達成されつつ、より大きな画角においても像面湾曲の補正が良好になされる。
【０００８】
また、本発明の画像読取装置は、上記の画像読取用レンズを備えるようにしたものである。
【０００９】
本発明の画像読取装置では、上記の画像読取用レンズを介して高品質な画像情報の読み取りが行われる。
【００１０】
本発明の画像読取用レンズおよび画像読取装置では、さらに、下記の条件式（１）〜（５）を全て満足するように構成されていることが望ましい。但し、ｆは全体の焦点距離、ｆ１は第１レンズの焦点距離、ｆ２は第２レンズの焦点距離、ｆ３は第３レンズの焦点距離、Ｄ５は絞りから第３レンズの物体側の面までの光軸上の間隔、Ｄ７は第３レンズの像側の面から第４レンズの物体側の面までの光軸上の間隔である。
−１．５６＜ｆ１／ｆ＜−０．３０  ……（１）
０．２６＜ｆ２／ｆ＜０．４５  ……（２）
０．２０＜ｆ３／ｆ＜２．３７  ……（３）
０．０４＜Ｄ５／ｆ＜０．１０  ……（４）
０．０５＜Ｄ７／ｆ＜０．１５  ……（５）
【００１１】
本発明の画像読取用レンズおよび画像読取装置では、第１レンズが、物体側に凹面を向けた負のメニスカスレンズであることが望ましい。こうすることで、特にコマ収差が良好に補正される。その場合、さらに、以下の条件式（６）〜（１０）を全て満足するように構成されていることが望ましい。
−１．５６＜ｆ１／ｆ＜−１．３４  ……（６）
０．３９＜ｆ２／ｆ＜０．４５  ……（７）
０．４７＜ｆ３／ｆ＜２．３７  ……（８）
０．０４＜Ｄ５／ｆ＜０．１０  ……（９）
０．０５＜Ｄ７／ｆ＜０．１５  ……（１０）
【００１２】
本発明の画像読取用レンズおよび画像読取装置では、第１レンズを、像側に凹面を向けた負のメニスカスレンズとしてもよい。
【発明の効果】
【００１３】
本発明の画像読取用レンズまたはそれを備えた画像読取装置によれば、メニスカス形状を有する負の第１レンズと、両凸形状の第２レンズと、絞りと、像側に凸面を向けたメニスカス形状をなす正の第３レンズと、物体側に凹面を向けたメニスカス形状をなす負の第４レンズとを物体側から順に備えるようにしたので、コンパクトな構成でありながら、より大きな画角においても良好な光学性能を発揮することができる。このため、全体構成を大型化することなく、より大きな原稿の読取が可能となる。
【００１４】
本発明の画像読取用レンズまたはそれを備えた画像読取装置によれば、第１レンズを、物体側に凹面を向けた負のメニスカスレンズとすることにより、特にコマ収差を良好に補正することができる。さらに、上記の各条件式（１）〜（５）を全て満足するように構成すると、特に像面湾曲をより良好に補正することができる。
【発明を実施するための最良の形態】
【００１５】
以下、本発明の実施の形態について、図面を参照して詳細に説明する。
【００１６】
図１は、本発明の一実施の形態に係る画像読取装置１０の斜視構成を示している。画像読取装置１０は、反射原稿式のイメージスキャナであり、例えば、Ａ４判の反射原稿２が載置される原稿載置台３と、原稿載置台３上の反射原稿２へ向けて照明光を発するライン状の光源７と、反射原稿２の画像を取り込む撮像素子４と、反射原稿２と撮像素子４との間に配置されて反射原稿２の画像を撮像素子４の撮像面上に結像させる画像読取用レンズ（以下、単に読取用レンズという）１とを備えている。この画像読取装置１０では、例えば反射原稿２が、光源７の延在方向と直交する方向（矢印Ａで示した方向）に沿って原稿載置台３の上を平行移動しながら光源７によって全面に亘って順次照射されるようになっている。反射原稿２からの反射光は、読取用レンズ１によって撮像素子４上に結像され、撮像素子４によって画像情報として取り込まれる。
【００１７】
図２は、本発明における一実施の形態としての読取用レンズ１の構成例を示している。図２において、符号Ｚobj で示す側が物体側、すなわち、反射原稿２が配置され、読み取り用の画像が提供される側であり、一方の符号Ｚimgで示す側が結像側、すなわち、撮像素子４が配置され、物体側の画像が結像される側である。撮像素子４は、その撮像面が読取用レンズ１の結像面Ｓimgと一致するように配置される。符号Ｓｉは、最も物体側の構成要素の面を１番目として、像側（結像側）に向かうに従い順次増加するようにして符号を付したｉ番目の面を示す。但し、５番目の面Ｓ５は絞りＫに対応する。符号Ｒｉは、面Ｓｉの曲率半径を示す。符号Ｄｉは、ｉ番目の面Ｓｉとｉ＋１番目の面Ｓｉ＋１との光軸Ｚ１上の面間隔を示す。
【００１８】
読取用レンズ１は、物体側から順に、負のパワーを有する第１レンズＬ１と、正のパワーを有する第２レンズＬ１と、絞りＫと、正のパワーを有する第３レンズＬ３と、負のパワーを有する第４レンズＬ４とを備えている。具体的には、第１レンズＬ１は、例えば物体側に凹面を向けた負のメニスカス形状をなし、第２レンズＬ２は両凸形状をなし、第３レンズは像側に凸面を向けたメニスカス形状をなし、第４レンズは物体側に凹面を向けたメニスカス形状をなしている。
【００１９】
読取用レンズ１は、さらに、下記の条件式（１）〜（５）を全て満足するように構成されている。但し、ｆは全体の焦点距離、ｆ１は第１レンズＬ１の焦点距離、ｆ２は第２レンズＬ２の焦点距離、ｆ３は第３レンズＬ３の焦点距離、Ｄ５は絞りＫから第３レンズＬ３の物体側の面Ｓ６までの光軸Ｚ１上の間隔、Ｄ７は第３レンズＬ３の像側の面Ｓ７から第４レンズＬ４の物体側の面Ｓ８までの光軸Ｚ１上の間隔である。
【００２０】
−１．５６＜ｆ１／ｆ＜−０．３０  ……（１）
０．２６＜ｆ２／ｆ＜０．４５  ……（２）
０．２０＜ｆ３／ｆ＜２．３７  ……（３）
０．０４＜Ｄ５／ｆ＜０．１０  ……（４）
０．０５＜Ｄ７／ｆ＜０．１５  ……（５）
【００２１】
読取用レンズ１は、特に、下記の条件式（６）〜（１０）を全て満足するように構成されていることが望ましい。
−１．５６＜ｆ１／ｆ＜−１．３４  ……（６）
０．３９＜ｆ２／ｆ＜０．４５  ……（７）
０．４７＜ｆ３／ｆ＜２．３７  ……（８）
０．０４＜Ｄ５／ｆ＜０．１０  ……（９）
０．０５＜Ｄ７／ｆ＜０．１５  ……（１０）
【００２２】
このように構成された読取用レンズ１では、物体側からの入射光束が第１レンズＬ１から第４レンズＬ４を順次透過し、撮像素子４の撮像面上に結像する。ここで、最も物体側に位置する第１レンズＬ１と、最も像側に位置する第４レンズＬ４とがいずれも負のパワーを有することから、より大きな画角においても像面湾曲の補正が良好になされる。同時に、４枚という少ないレンズ枚数で構成されていることから、コンパクト化が達成される。また、第１レンズＬ１が物体側に凹面を向けたメニスカスレンズであるので、特にコマ収差が良好に補正される。さらに、条件式（１）〜（５）を全て満足するように構成されているので、主に像面湾曲に関して良好に補正することができ、広画角化にいっそう有利となる。加えて、条件式（６）〜（１０）を全て満足する場合には、歪曲収差などの諸収差がよりいっそう良好に補正される。以下、条件式（１）〜（１０）の意義について詳細に説明する。
【００２３】
条件式（１）および（６）は、全系のパワー（１／ｆ）に対する第１レンズＬ１のパワー（１／ｆ１）の大きさを表す量（ｆ１／ｆ）の適正範囲を表す式である。ここで、条件式（１）の上限を上回って第１レンズＬ１の負のパワーが強くなりすぎると歪曲収差の補正が不十分となってしまう。ここで、特に条件式（６）の上限を下回るようにすると、歪曲収差が極めて良好に補正される。一方、条件式（１）および（６）の下限を下回って第１レンズＬ１の負のパワーが弱くなりすぎると像面湾曲の補正が不十分となってしまう。
【００２４】
条件式（２）および（７）は、全系のパワー（１／ｆ）に対する第２レンズＬ２のパワー（１／ｆ２）の大きさを表す量（ｆ２／ｆ）の適正範囲を表す式である。ここで、条件式（２）および（７）の上限を上回って第２レンズＬ２の正のパワーが弱くなりすぎると軸上色収差の補正が不十分となってしまう。一方、条件式（２）の下限を下回って第２レンズＬ２の正のパワーが強くなりすぎると歪曲収差の補正が不十分となってしまう。ここで、特に条件式（７）の下限を上回るようにすると、歪曲収差が極めて良好に補正される。
【００２５】
条件式（３）および（８）は、全系のパワー（１／ｆ）に対する第３レンズＬ３のパワー（１／ｆ３）の大きさを表す量（ｆ３／ｆ）の適正範囲を表す式である。ここで、条件式（３）および（８）の上限を上回って第３レンズＬ３の正のパワーが弱くなりすぎるとコマ収差の補正が不十分となってしまう。一方、条件式（３）の下限を下回って第３レンズＬ３の正のパワーが強くなりすぎると像面湾曲の補正が不十分となってしまう。ここで、特に条件式（８）の下限を上回るようにすると、像面湾曲が極めて良好に補正される。
【００２６】
条件式（４）および（９）は、絞りＫと、第３レンズＬ３の物体側の面Ｓ６との空気間隔を規定するものである。条件式（４）および（９）の上限を上回ると像面湾曲の補正が不十分となり、条件式（４）および（９）の下限を下回ると歪曲収差の補正が不十分となるので好ましくない。
【００２７】
条件式（５）および（１０）は、第３レンズＬ３と第４レンズＬ４との空気間隔を規定するものである。条件式（５）および（１０）の上限を上回るとコマ収差の補正が不十分となり、条件式（５）および（１０）の下限を下回ると像面湾曲の補正が不十分となるので好ましくない。
【００２８】
このように、本実施の形態の読取用レンズ１によれば、負の第１レンズＬ１と、両凸形状の第２レンズＬ２と、絞りＫと、像側に凸面を向けたメニスカス形状をなす正の第３レンズＬ３と、物体側に凹面を向けたメニスカス形状をなす負の第４レンズＬ４とを物体側から順に備えるようにしたので、コンパクトな構成でありながら、広画角化を実現することができる。特に、第１レンズＬ１を、物体側に凹面を向けた負のメニスカスレンズとしたので、特にコマ収差を良好に補正することができる。さらに、各条件式（１）〜（５）を全て満足するように構成したので、像面湾曲についてより良好に補正することができ、広画角化に有利となっている。このため、全体構成を大型化することなく、より大きな原稿の読取を行うことができる。
【００２９】
＜変形例＞
次に、上記実施の形態における変形例としての画像読取用レンズ（以下、単に読取用レンズ）１Ａについて、図３を参照して説明する。図３は、読取用レンズ１Ａの構成例を示している。上記実施の形態の読取用レンズ１（図２）では、第１レンズＬ１が、物体側に凹面を向けた負のメニスカス形状を有するようにした。これに対し、読取用レンズ１Ａは、第１レンズＬ１を、物体側に凸面を向けた負のメニスカスレンズとしたものである。第２レンズＬ２〜第４レンズＬ４については読取用レンズ１と同様の構成である。なお、読取用レンズ１Ａにおいても、上述の条件式（１）〜（５）を全て満足するように構成されていることが望ましい。このような読取用レンズ１Ａであっても、コンパクトな構成でありながら、広画角化を実現することができる。
【実施例】
【００３０】
次に、本実施の形態に係る画像読取用レンズの具体的な数値実施例について説明する。
【００３１】
以下では、第１〜第７の数値実施例（実施例１〜７）をまとめて説明する。
【００３２】
図４は、実施例１としての画像読取用レンズに関する基本レンズデータを示すものであり、図２に示したレンズ断面構成に対応している。図４における面番号Ｓｉの欄には、図２にそれぞれ示した符号Ｓｉに対応させて、最も物体側にある構成要素の面を１番目として、像側に向かうに従い順次増加するようにして符号を付したｉ番目（ｉ＝１〜９）の面の番号を示している。面Ｓ５は絞りＫを示す。曲率半径Ｒｉの欄には、図２で示した符号Ｒｉに対応させて、物体側からｉ番目の面の曲率半径の値を示す。面間隔Ｄｉの欄についても、図２で付した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｊ，νｄｊの欄には、それぞれ、物体側からｊ番目（ｊ＝１〜４）のレンズ要素のｄ線（５８７．６ｎｍ）に対する屈折率およびアッベ数の値を示す。同様に、実施例２〜６に係る画像読取用レンズに関する基本レンズデータを図５〜図９に示す。なお、実施例２〜６については、図２に示した実施例１のレンズ断面構成とほぼ同様であるので、ここでは図示を省略する。
【００３３】
さらに、図１０は、図３のレンズ断面構成に対応した、実施例７としての画像読取用レンズに関する基本レンズデータを示している。各符号の意味は、図４と同様である。
【００３４】
また、図１１は、実施例１〜７に係る画像読取用レンズに関するデータとして、全系の焦点距離ｆ、ＦＮｏ．、倍率βおよび画角２ωをまとめて示したものである。焦点距離ｆの単位はミリメートル（ｍｍ）である。
【００３５】
図１２は、実施例１〜７に係る画像読取用レンズについて、上述の条件式（１）〜（１０）に対応する値を示したものである。図１２に示したように、各実施例の値が、各条件式（１）〜（５）の数値範囲内となっている。特に、実施例１〜６については、各条件式（６）〜（１０）の数値範囲内となっている。
【００３６】
図１３（Ａ）〜（Ｃ）は、実施例１の画像読取用レンズにおける球面収差、非点収差、および歪曲収差（ディストーション）をそれぞれ示している。図１３（Ａ）の球面収差図および図１３（Ｂ）の非点収差図ではｅ線（波長５４６．１ｎｍ）、ｇ線（波長４３５．８ｎｍ）およびＣ線（波長６５６．３ｎｍ）に対応するものを示している。図１３（Ｃ）の歪曲収差図ではｅ線を基準波長とした収差を示している。但し、非点収差図では、実線がサジタル方向、破線がタンジェンシャル方向の収差を示している。これらの各収差図は、物体面から像面に至る光路中において、画像読取用レンズを基準として物体側に厚さ２．８ｍｍのガラス板（平行平面板）を配置すると共に像側に厚さ０．７ｍｍのガラス板（平行平面板）を配置するようにした場合に得られるデータを示している。また、ＦはＦ値、ωは半画角を示す。同様にして、実施例２〜７の各画像読取用レンズにおける球面収差、非点収差、および歪曲収差（ディストーション）について、図１４（Ａ）〜（Ｃ）、図１５（Ａ）〜（Ｃ）、図１６（Ａ）〜（Ｃ）、図１７（Ａ）〜（Ｃ）、図１８（Ａ）〜（Ｃ）および図１９（Ａ）〜（Ｃ）にそれぞれ示す。
【００３７】
図２０（Ａ）〜（Ｇ）は、実施例１の画像読取用レンズにおける各半画角でのコマ収差を示している。特に、図２０（Ａ）〜（Ｄ）はタンジェンシャル方向のコマ収差を示し、図２０（Ｅ）〜（Ｇ）はサジタル方向のコマ収差を示す。ここでは、ｅ線、ｇ線およびＣ線に対応するコマ収差を示している。
【００３８】
同様に、実施例２についてのコマ収差を図２１（Ａ）〜（Ｇ）に示し、実施例３についてのコマ収差を図２２（Ａ）〜（Ｇ）に示し、実施例４についてのコマ収差を図２３（Ａ）〜（Ｇ）に示し、実施例５についてのコマ収差を図２４（Ａ）〜（Ｇ）に示し、実施例６についてのコマ収差を図２５（Ａ）〜（Ｇ）に示し、実施例７についてのコマ収差を図２６（Ａ）〜（Ｇ）に示す。
【００３９】
以上の各レンズデータおよび各収差図から明らかなように、各実施例において、コンパクトな構成としつつ、より広範囲の画角において良好に収差補正がなされ、画像の読取を行うのに適した良好な性能を得られることが確認できた。特に、実施例１〜６では第１レンズＬ１が物体側に凹面を向けた負のメニスカスレンズであるので、コマ収差をより良好に補正することができた。
【００４０】
以上、いくつかの実施の形態および実施例を挙げて本発明を説明したが、本発明は上記実施の形態および実施例に限定されず、種々の変形が可能である。例えば、各レンズ成分の曲率半径、面間隔および屈折率の値は、上記各数値実施例で示した値に限定されず、他の値をとり得るものである。
【００４１】
また、上記実施の形態および実施例では、反射原稿式の画像読取装置としたが、本発明はこれに限定されるものではなく、例えば、図２７に示したような透過原稿式の画像読取装置であってもよい。図２７に示した画像読取装置２０は、例えばネガフィルムまたはポジフィルム等の透過原稿１２が載置される原稿載置台１３と、原稿載置台１３に向けて照明光を発する光源１７と、透過原稿１２の画像を撮像する撮像素子１４と、透過原稿１２の画像を撮像素子１４の撮像面上に結像させる画像読取用の読取レンズ１とを備えている。撮像素子１４は、例えばＣＣＤ等からなる。この画像読取装置２０において、透過原稿１２と読取レンズ１との間には、必要に応じて、透過原稿１２を原稿載置台１３側に押さえ付けるための原稿押さえガラスまたはフィルタ等の光学素子１５が配置される。また、読取レンズ１と撮像素子１４との間には、必要に応じて、撮像素子１４を保護するためのカバーガラス等の光学素子１６を配置することも可能である。この画像読取装置２０では、光源１７から透過原稿１２に向けて照明光が照射される。透過原稿１２を透過した光は読取レンズ１によって撮像素子１４上に結像されるので、撮像素子１４によって画像が取得されることとなる。
【図面の簡単な説明】
【００４２】
【図１】本発明の一実施の形態に係る画像読取装置の概略構成を示す斜視図である。
【図２】本発明の一実施の形態に係る画像読取用レンズの構成例を示すものであり、実施例１に対応するレンズ断面図である。
【図３】本発明の一実施の形態に係る画像読取用レンズの他の構成例を示すものであり、実施例７に対応するレンズ断面図である。
【図４】実施例１としての画像読取用レンズのレンズデータのうち、基本的なデータを示す説明図である。
【図５】実施例２としての画像読取用レンズのレンズデータのうち、基本的なデータを示す説明図である。
【図６】実施例３としての画像読取用レンズのレンズデータのうち、基本的なデータを示す説明図である。
【図７】実施例４としての画像読取用レンズのレンズデータのうち、基本的なデータを示す説明図である。
【図８】実施例５としての画像読取用レンズのレンズデータのうち、基本的なデータを示す説明図である。
【図９】実施例６としての画像読取用レンズのレンズデータのうち、基本的なデータを示す説明図である。
【図１０】実施例７としての画像読取用レンズのレンズデータのうち、基本的なデータを示す説明図である。
【図１１】実施例１〜７としての画像読取用レンズのレンズデータのうち、他の基本的なデータを示す説明図である。
【図１２】実施例１〜７としての画像読取用レンズのレンズデータのうち、条件式（１）〜（８）に対応するデータを示す説明図である。
【図１３】実施例１の画像読取用レンズについての球面収差、非点収差および歪曲収差（ディストーション）を示す図である。
【図１４】実施例２の画像読取用レンズについての球面収差、非点収差および歪曲収差（ディストーション）を示す図である。
【図１５】実施例３の画像読取用レンズについての球面収差、非点収差および歪曲収差（ディストーション）を示す図である。
【図１６】実施例４の画像読取用レンズについての球面収差、非点収差および歪曲収差（ディストーション）を示す図である。
【図１７】実施例５の画像読取用レンズについての球面収差、非点収差および歪曲収差（ディストーション）を示す図である。
【図１８】実施例６の画像読取用レンズについての球面収差、非点収差および歪曲収差（ディストーション）を示す図である。
【図１９】実施例７の画像読取用レンズについての球面収差、非点収差および歪曲収差（ディストーション）を示す図である。
【図２０】実施例１の画像読取用レンズについてのコマ収差を示す図である。
【図２１】実施例２の画像読取用レンズについてのコマ収差を示す図である。
【図２２】実施例３の画像読取用レンズについてのコマ収差を示す図である。
【図２３】実施例４の画像読取用レンズについてのコマ収差を示す図である。
【図２４】実施例５の画像読取用レンズについてのコマ収差を示す図である。
【図２５】実施例６の画像読取用レンズについてのコマ収差を示す図である。
【図２６】実施例７の画像読取用レンズについてのコマ収差を示す図である。
【図２７】本発明の一実施の形態に係る画像読取装置の変形例を示す構成図である。
【符号の説明】
【００４３】
Ｌ１〜Ｌ４…第１レンズ〜第４レンズ、Ｓｉ…物体側から第ｉ番目のレンズ面、Ｒｉ…物体側から第ｉ番目のレンズ面の曲率半径、Ｄｉ…物体側から第ｉ番目と第（ｉ＋１）番目のレンズ面との面間隔、Ｚ１…光軸、１，１Ａ…読取レンズ、２…反射原稿、３…原稿載置台、４…撮像素子、７…光源、１０…画像読取装置、１２…透過原稿、１３…原稿載置台、１４…撮像素子、１７…光源、２０…画像読取装置。
【図１】
0004841934.tif 000002
【図２】
0004841934.tif 000003
【図３】
0004841934.tif 000004
【図４】
0004841934.tif 000005
【図５】
0004841934.tif 000006
【図６】
0004841934.tif 000007
【図７】
0004841934.tif 000008
【図８】
0004841934.tif 000009
【図９】
0004841934.tif 000010
【図１０】
0004841934.tif 000011
【図１１】
0004841934.tif 000012
【図１２】
0004841934.tif 000013
【図１３】
0004841934.tif 000014
【図１４】
0004841934.tif 000015
【図１５】
0004841934.tif 000016
【図１６】
0004841934.tif 000017
【図１７】
0004841934.tif 000018
【図１８】
0004841934.tif 000019
【図１９】
0004841934.tif 000020
【図２０】
0004841934.tif 000021
【図２１】
0004841934.tif 000022
【図２２】
0004841934.tif 000023
【図２３】
0004841934.tif 000024
【図２４】
0004841934.tif 000025
【図２５】
0004841934.tif 000026
【図２６】
0004841934.tif 000027
【図２７】
0004841934.tif 000028